(57)【特許請求の範囲】
【請求項１】
スクリュー（１）と、出力軸（２１）が設置されているモータ（２）とを備え、且つ前記出力軸（２１）は、歯車システムによりスクリュー（１）に伝動接続されており、前記歯車システムは歯車座（３）に支持されており、且つ前記スクリュー（１）は前記歯車座（３）を貫通している電子膨張弁であって、
弁室が設けられている弁座（４）及び前記モータ（２）の外部に設置されているモータケース（２２）をさらに備え、
前記歯車座（３）はさらに前記弁室に設けられており、且つ、前記弁座（４）の上端部はさらに前記モータケース（２２）の下端部に接続されており、
前記弁座（４）は、座本体（４１）及び前記座本体（４１）の上端部に設置されているスリーブ（４２）を備え、前記スリーブ（４２）の上端部はさらに前記モータケース（２２）の下端部に接続されており、前記歯車座（３）はさらに前記スリーブ（４２）の内部に設置されており、
前記スリーブ（４２）は、スリーブ本体部（４２１）及び外部に湾曲するスリーブ折り曲げ部（４２２）を備え、前記スリーブ本体部（４２１）は前記座本体（４１）に接続されており、前記スリーブ折り曲げ部（４２２）は前記モータケース（２２）の下端部に接続されており、前記歯車座（３）には周方向に沿ってさらに接続部（３１）が設けられており、前記接続部（３１）は前記スリーブ本体部（４２１）の周方向内壁に接続されており、
前記接続部（３１）の上方にはさらに外径が小さい支持部（３２）が設けられており、前記歯車システムは前記支持部（３２）に支持されており、
前記歯車システムは、前記出力軸（２１）における歯車と噛み合っている第１の歯車（５１）と、前記スクリュー（１）に接続されている第２の歯車（５２）と、前記第１の歯車（５１）の運動を前記第２の歯車（５２）に伝達する伝動歯車（５３）とを備え、前記伝動歯車（５３）には位置決め軸（５４）が設けられており、前記位置決め軸（５４）の下端部はさらに前記支持部（３２）に接続されており、
前記支持部（３２）には径方向に沿ってその周方向側面から凸出する凸出部（３２１）が設けられており、前記位置決め軸（５４）の下端部はさらに前記凸出部（３２１）に接続されていることを特徴とする電子膨張弁。
【請求項２】
前記歯車座（３）の下端面はさらに前記座本体（４１）の上端面に支持されていることを特徴とする請求項１に記載の電子膨張弁。
【請求項３】
前記スクリュー（１）は前記歯車座（３）を貫通して弁ロッド（６）と接続されており、前記歯車座（３）と前記弁ロッド（６）のうち、一方には位置規制凹溝が設置されており、他方には前記位置規制凹溝に軸方向に沿って摺動可能な位置規制凸出部が設置されており、前記位置規制凸出部が前記位置規制凹溝に設置されることにより、前記弁ロッド（６）と前記歯車座（３）との周方向の相対的な位置が限定されることを特徴とする請求項１に記載の電子膨張弁。
【請求項４】
前記位置規制凸出部は、軸方向に沿って前記歯車座（３）と前記弁ロッド（６）のうちの一方に設置されている第１の位置規制レバー部材（３４）であり、前記位置規制凹溝は、軸方向に沿って前記歯車座（３）と前記弁ロッド（６）のうちの他方に設置されている第１の位置規制穴（６１）であり、前記第１の位置規制レバー部材（３４）は軸方向に沿って摺動可能に前記第１の位置規制穴（６１）に設けられていることを特徴とする請求項３に記載の電子膨張弁。
【請求項５】
前記歯車座（３）には下キャビティが設けられており、前記弁ロッド（６）の上端部は前記下キャビティに伸び込んでおり、前記位置規制凸出部は径方向に沿って前記下キャビティの側壁と前記弁ロッド（６）の側壁のうちの一方に設置されている第２の位置規制レバー部材（６２）であり、前記位置規制凹溝は径方向に沿って前記下キャビティの側壁と前記弁ロッド（６）の側壁のうちの他方に設置されている第２の位置規制穴（３５）であることを特徴とする請求項３に記載の電子膨張弁。
【請求項６】
前記歯車座（３）には軸方向に延びる複数の位置決めレバー部材（３６２）が設けられており、下キャビティ（３６）は前記各位置決めレバー部材（３６２）によって周方向に囲まれ、前記弁ロッド（６）の上端部は当該下キャビティ（３６）に伸び込んでおり、前記位置規制凸出部は前記弁ロッド（６）の側壁に設置されている第２の位置規制レバー部材（６２）であり、前記各位置決めレバー部材（３６２）のうち、少なくとも一組の隣接した位置決めレバー部材（３６２）の間に位置規制隙間（３６３）が形成されており、前記位置規制隙間（３６３）は前記位置規制凹溝を形成しており、前記第２の位置規制レバー部材（６２）は前記位置規制隙間（３６３）に挿入されていることを特徴とする請求項３に記載の電子膨張弁。
【発明の詳細な説明】
【技術分野】
【０００１】
本発明は、流体制御部材の技術分野に関し、特に電子膨張弁に関する。
【背景技術】
【０００２】
電子膨張弁は、冷却システムを構成する重要な部材であり、冷却システムにおける四つの基本部材のうちの蒸発器、コンプレッサー及びコンデンサーを除く基本部材である。電子膨張弁の作動過程としては、一般的に、コイル装置の通電または停電に伴い、弁棒で弁口の開度を調整することにより、冷媒の流量を調節する。
【０００３】
従来技術において、出願番号が２００５８００２３２０２．７である中国特許出願は一種の電子膨張弁を開示している。具体的には、図１を参照すると、図１は従来技術による電子膨張弁の構造の模式図である。
【０００４】
図１に示しているように、従来技術による電子膨張弁は、弁座１′を備え、当該弁座１′の内部にはスリーブ部２′が設けられており、当該スリーブ部２′は、案内部２′１とヘッド部２′２を備え、ヘッド部２′２には歯車座３′が密封されて支持されており、この歯車座３′の内部には歯車システム８′が設置されており、当該歯車システム８′にはスクリュー４′が伝動接続されている。図１に示しているように、歯車座３′の上端部はさらにモータケース５′１に密封されて接続されており、モータケース５′１の内部にはモータ５′が設置されており、当該モータ５′は出力軸を介して歯車システム８′に伝動接続されている。案内部２′１の内部に摺動可能な弁ロッド６′が設置されており、且つ弁ロッド６′の上端部からナット７′が伸び出しており、当該ナット７′はさらに歯車座３′の下キャビティにおける位置規制部３′１に設けられており、当該ナット７′はこの位置規制部３′１の位置規制によって、位置規制部３′１の規制範囲内に軸方向に沿って摺動可能となるが、周方向に沿って回転不可となる。
【０００５】
作動する際に、モータ５′を起動させて、その出力軸を転動させ、該転動動作を歯車システム８′によりスクリュー４′に伝達させる。スクリュー４′は螺合によってナット７′内に伸び込むとともに、ナット７′は位置規制部３′１の規制範囲内に軸方向に沿って摺動することができるのみで、周方向に沿って回転することができないので、スクリュー４′の転動に伴い、ナット７′は軸方向に沿って摺動する。これによって、弁ロッド６′は更に当該ナット７′によって駆動されて案内部２′１の内部で軸方向に沿って摺動し、弁口の開度を調整する目的を達成する。
【０００６】
しかしながら、上記従来技術による電子膨張弁には下記の欠陥が存在する。
【０００７】
先ず、歯車座３′は、その上端部が螺合によってモータケース５′１と密封されて接続されており、その下端部が螺合によってスリーブ部２′のヘッド部２′２と密封されて接続されているので、２つの密封箇所が存在する。密封箇所が比較的多くなると、漏洩を招致する確率が大きくなるのみならず、装着構造も比較的複雑になる恐れがある。
【０００８】
次に、弁ロッド６′の上端部からナット７′が伸び出す必要があり、該ナット７′を位置規制部３′１に取り合わせることにより、弁ロッド６′による周方向の位置規制を図ることができるが、ナット７′は弁ロッド６′の上端部から伸び出す必要があるので、弁体部材全体の軸方向の寸法が比較的大きくなり、ひいては弁本体の軸方向の寸法も増大することにつながる。また、ナット７′の外径は弁ロッド６′の外径よりも著しく小さいため、弁体部材全体はその下部が上部よりも大きくなるように形成される。従って、内径が小さな位置規制部３′１を歯車座３′のキャビティに装着するために、各部材の加工過程において、スリーブ部２′のヘッド部２′２の内径を案内部２′１の内径よりも小さくし、且つ、歯車座３′の下端部の外径を低減する必要がある。これにより、スリーブ部２′及び歯車座３′の構造が比較的複雑になるため、加工難度の増大を招致し、コストも高くなる。それと同時に、ナット７′と弁ロッド６′からなる弁体部材は、その下部が上部よりも大きくなるように形成されるので、ナット７′、弁ロッド６′、歯車座３′、スリーブ部２′及び弁座１′の装着工程が比較的複雑になり、装着難度も大きくなる。
【０００９】
これに鑑み、如何に従来技術による電子膨張弁を改良することによって、漏洩の確率を低減させると共に、その装着構造を簡略化させることができるのかということは、当業者にとって急を要する課題である。
【発明の概要】
【発明が解決しようとする課題】
【００１０】
本発明が解決しようとする技術的な課題は、独自な構造設計によって、密封箇所の数を削減することによって、漏洩の確率を効果的に低減させるとともに、装着構造を簡略化させることができる電子膨張弁を提供することである。
【課題を解決するための手段】
【００１１】
上記技術的課題を解決するために、本発明は、スクリューと、出力軸が設置されているモータとを備え、且つ前記出力軸は、歯車システムによりスクリューに伝動接続されており、前記歯車システムは歯車座に支持されており、且つ前記スクリューは前記歯車座を貫通している電子膨張弁であって、弁室が設けられている弁座及び前記モータの外部に設置されているモータケースをさらに備え、前記歯車座はさらに前記弁室に設けられており、且つ、前記弁座の上端部はさらに前記モータケースの下端部に接続されており、前記弁座は、座本体及び前記座本体の上端部に設置されているスリーブを備え、前記スリーブの上端部はさらに前記モータケースの下端部に接続されており、前記歯車座はさらに前記スリーブの内部に設置されており、前記スリーブは、スリーブ本体部及び外部に湾曲するスリーブ折り曲げ部を備え、前記スリーブ本体部は前記座本体に接続されており、前記スリーブ折り曲げ部は前記モータケースの下端部に接続されており、前記歯車座には周方向に沿ってさらに接続部が設けられており、前記接続部は前記スリーブ本体部の周方向内壁に接続されており、前記接続部の上方には、さらに外径が小さい支持部が設けられており、前記歯車システムは前記支持部に支持されており、前記歯車システムは、前記出力軸における歯車と噛み合っている第１の歯車と、前記スクリューに接続されている第２の歯車と、前記第１の歯車の運動を前記第２の歯車に伝達する伝動歯車とを備え、前記伝動歯車には位置決め軸が設けられており、前記位置決め軸の下端部はさらに前記支持部に接続されており、前記支持部には径方向に沿ってその周方向側面から凸出する凸出部が設けられており、前記位置決め軸の下端部はさらに前記凸出部に接続されていることを特徴とする。
【００１７】
前記歯車座の下端面はさらに前記座本体の上端面に支持されていることが、好ましい。
【００１８】
前記スクリューは前記歯車座を貫通して弁ロッドと接続されており、前記歯車座と前記弁ロッドのうち、一方には位置規制凹溝が設置されており、他方には前記位置規制凹溝に軸方向に沿って摺動可能な位置規制凸出部が設置されており、前記位置規制凸出部が前記位置規制凹溝に設置されることにより、前記弁ロッドと前記歯車座との周方向の相対的な位置が限定されることが、好ましい。
【００１９】
前記位置規制凸出部は、軸方向に沿って前記歯車座と前記弁ロッドのうちの一方に設置されている第１の位置規制レバー部材であり、前記位置規制凹溝は、軸方向に沿って前記歯車座と前記弁ロッドのうちの他方に設置されている第１の位置規制穴であり、前記第１の位置規制レバー部材は軸方向に沿って摺動可能に前記第１の位置規制穴に設けられていることが、好ましい。
【００２０】
前記歯車座には下キャビティが設けられており、前記弁ロッドの上端部は前記下キャビティに伸び込んでおり、前記位置規制凸出部は径方向に沿って前記下キャビティの側壁と前記弁ロッドの側壁のうちの一方に設置されている第２の位置規制レバー部材であり、前記位置規制凹溝は径方向に沿って前記下キャビティの側壁と前記弁ロッドの側壁のうちの他方に設置されている第２の位置規制穴であることが、好ましい。
【００２１】
前記歯車座には軸方向に延びる複数の位置決めレバー部材が設けられており、下キャビティは前記各位置決めレバー部材によって周方向に囲まれ、前記弁ロッドの上端部は当該下キャビティに伸び込んでおり、前記位置規制凸出部は前記弁ロッドの側壁に設置されている第２の位置規制レバー部材であり、前記各位置決めレバー部材のうち、少なくとも一組の隣接した位置決めレバー部材の間に位置規制隙間が形成されており、前記位置規制隙間は前記位置規制凹溝を形成しており、前記第２の位置規制レバー部材は前記位置規制隙間に挿入されていることが、好ましい。
【発明の効果】
【００２２】
従来技術に基き、本発明によって提供される歯車座は弁室に設けられ、且つ、弁座の上端部はさらにモータケースの下端部に接続され、具体的には、弁座の上端部はモータケースの下端部に密封させて接続される必要がある。従来技術と比べて、本発明によって提供される歯車座はさらに弁座のキャビティに設けられており、且つ弁座の上端部がモータケースの下端部と密封させて接続されているので、この構造においては一つだけの密封箇所が存在し、密封箇所が比較的少なく、漏洩の確率が比較的に低くなる。また、本発明において、歯車座は弁室に設けられており、且つ、弁座の上端部はさらにモータケースの下端部に接続されているので、従来技術と比べて、装着構造が簡略化されている。
【００２３】
とにかく、本発明によって提供される電子膨張弁は、密封箇所の数を削減することによって、漏洩の確率を効果的に低減させるとともに、装着構造を簡略化させることができる。
【図面の簡単な説明】
【００２４】
【図１】従来技術による電子膨張弁の構造模式図である。
【図２】本発明の一実施例に係る電子膨張弁の構造模式図である。
【図３】図２の電子膨張弁の歯車システムと歯車座との装着模式図である。
【図４】その他の視角で見た図３の歯車システムと歯車座との装着模式図である。
【図５】図３の歯車システムと歯車座との装着構造の正視図である。
【図６】図３の歯車座の構造模式図である。
【図７】図６の歯車座と取り合わせる弁ロッドの構造模式図である。
【図８】本発明の他の実施例に係る歯車座と弁ロッドとの装着模式図である。
【図８−１】図８の歯車座と弁ロッドとの装着構造の断面図である。
【図８−２】図８の歯車座の構造模式図である。
【図８−３】図８の弁ロッドの構造模式図である。
【図９−１】本発明の更に他の実施例に係る歯車座の構造模式図である。
【図９−２】図９−１の歯車座と取り合わせる弁ロッドの構造模式図である。
【図１０−１】本発明の更に他の実施例に係る歯車座の構造模式図である。
【図１０−２】図１０−１の歯車座を備える電子膨張弁の構造模式図である。
【発明を実施するための形態】
【００２５】
本願は、２０１１年０６月２７日に中国特許局に提出した、出願番号が２０１１１０１７５３３６．８で、発明名称が「電子膨張弁」である中国特許出願の優先権を主張し、当該特許出願の内容の全てを引用によって本願に取り入れる。
【００２６】
本発明の核心は、独自な構造設計によって、密封箇所の数を削減することによって、漏洩の確率を効果的に低減させるとともに、装着構造を簡略化させることができる電子膨張弁を提供することである。
【００２７】
当業者が本発明の技術案を比較的良好に理解できるように、以下、図面と具体的な実施例に基いて本発明を更に詳細に説明する。
【００２８】
図２を参照すると、図２は本発明の一実施例に係る電子膨張弁の構造模式図である。
【００２９】
本発明の一実施例において、本発明によって提供される電子膨張弁は、冷媒の流量を調整するためのものであり、図２に示しているように、当該電子膨張弁はモータケース２２を備え、モータケース２２内にはモータ２が設置されており、モータ２の出力軸２１が歯車システムによりスクリュー１に伝動可能に接続されているので、スクリュー１は出力軸２１に伴って転動する。図２に示しているように、歯車システムは歯車座３に支持されていると共に、スクリュー１は歯車座３を貫通して弁ロッド６に接続しており、スクリュー１の転動に伴い、弁ロッド６は軸方向に沿って上下移動することによって、弁座４における弁口の開度を調節し、冷媒の流量調整の目的を達成することができる。
【００３０】
図２に示しているように、上記従来技術に基づいて、歯車座３はさらに弁座４の弁室に設置されるとともに、弁座４の上端部はさらにモータケース２２の下端部に接続され、具体的に、弁座４の上端部はモータケース２２の下端部と密封させて接続される必要がある。従来技術と比べて、歯車座３はさらに弁座４の弁室に設置されているとともに、弁座４の上端部はモータケース２２の下端部と密封させて接続されているので、この構造においては一つの密封箇所のみが存在しており、密封箇所が比較的少なく、漏洩の確率も比較的に小さくなる。また、本発明において、歯車座３は弁室に設けられており、且つ弁座４の上端部はモータケース２２の下端部に接続されているので、従来技術と比べて、装着構造が簡略化されている。
【００３１】
特に説明すべきのは、上記実施例において、弁座４は、座本体４１及び座本体４１の上端部に設置されているスリーブ４２を備え、スリーブ４２の上端部がさらにモータケース２２の下端部に接続され、且つ歯車座３がさらにスリーブ４２の内部に設置されている部材間独立構造であってもよい。弁座４は、座本体４１とスリーブ４２とに分けられる構造設計によって、加工し易くなる。勿論、弁座４は一体構造であってもよく、つまり座本体４１とスリーブ４２とは一体加工成形によって一体化部材に形成されてもよい。
【００３２】
図３乃至図７を参照すると、図３は図２の電子膨張弁の歯車システムと歯車座との装着模式図であり、図４は他の視角で見た図３の歯車システムと歯車座との装着模式図であり、図５は図３の歯車システムと歯車座との装着構造の正視図であり、図６は図３の歯車座の構造模式図であり、図７は図６の歯車座と取り合わせる弁ロッドの構造模式図である。
【００３３】
図２に示しているように、スリーブ４２はスリーブ本体部４２１及び外側に湾曲するスリーブ折り曲げ部４２２を備え、スリーブ本体部４２１は座本体４１に接続されており、スリーブ折り曲げ部４２２はモータケース２２の下端部に接続されている。図３、図５及び図６に示しているように、歯車座３には周方向にさらに接続部３１が設けられており、図２に示しているように、接続部３１はスリーブ本体部４２１の周方向内壁に更に接続されてもよい。スリーブ折り曲げ部４２２により、スリーブ４２とモータケース２２の下端部との接続に利する一方、歯車システムを取り付けるための十分なスペースを確保するので、歯車システムの取り付けは簡単になる。そして、スリーブ折り曲げ部４２２により形成される比較的大きなスペースは、接続部３１とスリーブ本体部４２１の周方向内壁との接続の実現に役立つ。
【００３４】
具体的には、歯車座３の構造に対してさらに改良することができる。例えば、図３と図６に示しているように、接続部３１の上方にはさらに外径が小さい支持部３２が設けられており、前記歯車システムは支持部３２に支持されており、且つ支持部３２の周方向側面と接続部３１の上端面との間に段階３３が形成されている。当該段階３３により、接続部３１とスリーブ本体部４２１の周方向内壁との接続に適当なスペースが更に提供され、例えばこの適当なスペースにおいて、半田付けまたはレーザー溶接などの溶接手段によって、接続部３１とスリーブ本体部４２１の周方向内壁との接続を図ることができる。
【００３５】
特に説明する必要があるのは、図３、図４及び図５に示しているように、歯車システムは第１の歯車５１、第２の歯車５２及び伝動歯車５３を備え、第１の歯車５１はモータ２の出力軸２１における歯車と噛み合っており、第２の歯車５２はスクリュー１に接続されているとともに、歯車座３の上キャビティに設けられており、伝動歯車５３は第２の歯車５２と噛み合っているとともに、第１の歯車５１と共同で位置決め軸５４を用いているので、第１の歯車５１の運動を第２の歯車５２に伝達することが可能である。図２に示しているように、伝動歯車５３はさらに位置決め軸５４が設けられており、当該位置決め軸５４は歯車座３における支持部３２に固着接続されている。この様な構造設計によって、歯車システムと歯車座３との接続を簡単に実現することができる上に、構造は簡素化されており、コストも削減される。
【００３６】
また、図３及び６に示しているように、支持部３２は径方向に沿ってその周方向側面から凸出する凸出部３２１が設けられており、凸出部には位置決め穴３９が設置されており、位置決め軸５４の下端部はさらに位置決め穴３９に接続されている。この様な構造設計によって、位置決め軸５４と支持部３２との間の接続を図ることができる一方、支持部３２と接続部３１との間に段階３３を簡単に形成できることに寄与する。
【００３７】
図２に示しているように、上記いずれか一つの技術案において、スリーブ本体部４２１は座本体４１の上端部の外側をカバーして装着され、これに基づいて、歯車座３の下端面は座本体４１の上端面に更に支持されることができる。歯車座３が座本体４１で支持されて固定されることにより、その軸方向の位置規制の安定性はさらに向上されている。
【００３８】
なお、図８乃至図９−２を参照すると、上記いずれか一つの技術案に基づいて、さらに改良することができる。例えば、本発明によって提供される歯車座３及び弁ロッド６のうち、一方には位置規制凹溝が設置されており、且つ他方には上記位置規制凹溝に軸方向に沿って摺動可能な位置規制凸出部が設置されており、前記位置規制凸出部が前記位置規制凹溝に設置されることにより、弁ロッド６と歯車座３との周方向の相対的な位置は制限されている。
【００３９】
本発明において、歯車座３とナット６３との間ではなく、歯車座３と弁ロッド６との間に位置規制構造が形成されているので、ナット６３は弁ロッド６の内部に設置されることができ、従来技術によるナットが弁ロッド６から伸び出している構造と比べて、弁ロッド６とナット６３からなる弁体部材の軸方向の寸法を著しく短縮させることができ、ひいては弁本体の軸方向の寸法を短縮させることもできる。なお、ナット６３は弁ロッド６に内蔵されることができ、且つ弁体部材の外郭寸法は弁ロッド６に依存するので、従来技術による弁体部材の下部が上部よりも大きくなる構造を避けることができ、ひいては弁ロッド６と取り合わせる歯車座３の加工工芸を簡略化させるとともに、歯車座３、弁ロッド６及び弁座４の装着構造も簡略化されている。
【００４０】
特に説明する必要があるのは、上記技術案において、歯車座３と弁ロッド６との間に形成された位置規制凸出部と位置規制凹溝の構造が限定されることはなく、弁ロッド６を歯車座３の軸方向に沿って上下摺動可能にし、且つ弁ロッド６を歯車座３の周方向に対して固定するようにできる限り、何れの位置規制凸出部と位置規制凹溝との取合構造も本発明の保護範囲に該当すべきである。
【００４１】
具体的には、図５に示しているように、歯車座３には前記位置規制凹溝が設置されており、且つ当該位置規制凹溝は非円異形溝３８である。図７に示しているように、弁ロッド６には前記位置規制凸出部が設置されており、且つ当該位置規制凸出部は非円異形部６４であり、この非円異形部６４の外部輪郭は非円異形溝３８の内部輪郭と一致しており、非円異形部６４はこの非円異形溝３８に挿入されるものである。この様な構造設計によって、弁ロッド６が軸方向に沿って摺動するとともに周方向に位置規制して固定するように形成される目的を達成することに非常に寄与する。
【００４２】
特に説明する必要があるのは、非円異形部６４と非円異形溝３８は図面に示している六角形に限定されず、明らかなように、円形でない限り、且つ弁ロッド６の周方向に沿う転動を制限できるいずれの形状も本発明の保護範囲に該当するべきである。
【００４３】
具体的には、歯車座３と弁ロッド６との間に形成された位置規制構造に対して、さらに設計を行うことができる。例えば、図８、図８−１、図８−２及び図８−３を参照すると、前記位置決め凸出部は歯車座３と弁ロッド６のうちの一方に設置される第１の位置規制レバー部材３４であり、前記位置決め凹溝は歯車座３と弁ロッド６のうちの他方に設置される第１の位置規制穴６１であり、第１の位置規制レバー部材３４は軸方向に沿って摺動可能に前記第１の位置規制穴６１に設けられている。明らかなように、この様な構造設計によっても弁ロッド６を軸方向に沿って摺動させるとともに周方向に位置規制して固定する目的を達成することができ、且つ、このような構造はレバーと穴との取合方式を採用するので、図３乃至図７に示している位置規制構造と比べて、材料コストが著しく削減されている。
【００４４】
具体的には、図８−２に示しているように、歯車座３には第１の位置規制レバー部材３４が設けられており、且つこの第１の位置規制レバー部材３４は歯車座３の下端面に設置されており、このような構造は比較的簡単で、製造コストも比較的低くなる。図８−３に示しているように、弁ロッド６には第１の位置規制穴６１が設けられており、且つこの弁ロッド６の内部にはスクリュー１と取り合わせるナット６３が設置されており、第１の位置規制穴６１はナット６３に設けられており、この様な構造設計によって、第１の位置規制穴６１とナット６３の集積を図ることができ、構造が簡略化されている。
【００４５】
さらに、第１の位置規制レバー部材３４は円柱状のレバー部材であってもよく、第１の位置規制穴６１は円柱状の穴であってもよい。これに基づいて、第１の位置規制レバー部材３４は第１の位置規制穴６１と比べて数が同一であり、少なくとも２つであり、且つ各第１の位置規制レバー部材３４は各第１の位置規制穴６１にそれぞれ対応して設置されている。
【００４６】
特に説明する必要があるのは、第１の位置規制レバー部材３４が非円異形レバーであり、且つ第１の位置規制穴６１がそれに対応する非円異形穴である場合に、第１の位置規制レバー部材３４と第１の位置規制穴６１の数はそれぞれ一つであってもよく、勿論、周方向の位置規制強度を保証するために、第１の位置規制レバー部材３４と第１の位置規制穴６１の数は複数であり、且つ周方向に均一に分布することが最もよい。
【００４７】
具体的には、歯車座３と弁ロッド６との間に形成された位置規制構造に対して、さらに設計を行うことができる。例えば、図９−１と図９−２を参照すると、歯車座３には下キャビティ３６が設けられており、弁ロッド６の上端部は下キャビティ３６に伸び込んでおり、前記位置規制凸出部は径方向に沿って下キャビティ３６の側壁と弁ロッド６の側壁のうちの一方に設置される第２の位置規制レバー部材６２であり、前記位置規制凹溝は径方向に沿って下キャビティ３６の側壁と弁ロッド６の側壁のうちの他方に設置される第２の位置規制穴３５である。明らかなように、このような構造設計によっても弁ロッド６を軸方向に沿って摺動させるとともに周方向に位置規制させる目的を達成することができ、且つ、図３乃至図７に示している位置規制構造と比べて、構造が比較的簡単になり、材料のコストも著しく削減されている。
【００４８】
具体的には、図９−１と図９−２に示しているように、弁ロッド６の側壁には第２の位置規制レバー部材６２が設置されており、下キャビティ３６の側壁には第２の位置規制穴３５が設置されており、且つ第２の位置規制穴３５は径方向に沿って下キャビティ３６を貫通するようにされてもよい。さらに、第２の位置規制穴３５は軸方向に沿って歯車座３の下端面を貫通している。このような構造設計によって、第２の位置規制レバー部材６２と第２の位置規制穴３５との加工工芸を簡素化することができるので、さらに加工コストを低減することができる。
【００４９】
なお、材料コストの支出を低減するために、図１１に示しているように、下キャビティ３６の側壁は間断構造であり、少なくとも一つの間断部３６１を備え、且つ第２の位置規制穴３５がこの間断部３６１に設けられるようにされてもよい。
【００５０】
図１０−１と図１０−２を参照すると、図１０−１は本発明の他の実施例に係る歯車座の構造模式図であり、図１０−２は図１０−１の歯車座を備える電子膨張弁の構造模式図である。
【００５１】
歯車座３に対してさらに改良することができる。例えば、図１０−１に示しているように、歯車座３には軸方向に延びる複数の位置決めレバー部材３６２が周方向に設けられており、下キャビティ３６は各位置決めレバー部材３６２によって周方向に囲まれ、弁ロッド６の上端部は当該下キャビティ３６に伸び込んでいる。各位置決めレバー部材３６２のうち、少なくとも一組の隣接した位置決めレバー部材３６２の間の隙間に位置規制隙間３６３が形成されており、位置規制隙間３６３が位置規制凹溝を形成しており、前記位置規制凸出部は弁ロッド６の側壁に設置される第２の位置規制レバー部材６２であり、図１０−２に示しているように、第２の位置規制レバー部材６２は位置規制隙間３６３に挿入されている。
【００５２】
図１０−１に示しているように、位置決めレバーの数は四つであり、一対ずつ位置規制隙間３６３が形成されるように全部で二つの位置規制隙間３６３が形成されており、また図１０−２に示しているものに基いて、第２の位置規制レバー部材６２はこの位置規制隙間３６３に挿入されている。明らかなように、このような構造設計によっても弁ロッド６を軸方向に沿って摺動させるとともに周方向に位置規制させる目的を達成することができ、且つ、さらに材料のコストを節約し、構造を簡略化させることができる。
【００５３】
以上、本発明によって提供される電子膨張弁を詳細に説明した。本文では具体的な個別例を利用して本発明の原理及び実施態様を説明したが、上記のように説明した実施例は、本発明の方法及びその核心思想を理解し易くするためのものに過ぎない。なお、当業者にとって、本発明の原理を外れない前提で、若干の改良や修飾を行うことができる。これらの改良や修飾も本発明の保護範囲に該当することを理解すべきである。
【符号の説明】
【００５４】
1′…弁座；２′…スリーブ部；２′１…案内部；２′２…ヘッド部；３′…歯車座；４′…スクリュー；５′…モータ；５′１…モータケース；６′…弁ロッド；７′…ナット；８′…歯車システム。
１…スクリュー；２…モータ；２１…出力軸；２２…モータケース；３…歯車座；３１…接続部；３２…支持部；３２１…凸出部；３３…段階；３４…第１の位置規制レバー部材；３５…第２の位置規制穴；３６…下キャビティ；３６１…間断部；３６２…位置決めレバー部材；３６３…位置規制隙間；３８…非円異形溝；３９…位置決め穴；４…弁座；４１…座本体；４２…スリーブ；４２１…スリーブ本体部；４２２…スリーブ折り曲げ部；５１…第１の歯車；５２…第２の歯車；５３…伝動歯車；５４…位置決め軸；６…弁ロッド；６１…第１の位置規制穴；６２…第２の位置規制レバー部材；６３…ナット；６４…非円異形部。
【図１】
0005843209.tif 000002
【図２】
0005843209.tif 000003
【図３】
0005843209.tif 000004
【図４】
0005843209.tif 000005
【図５】
0005843209.tif 000006
【図６】
0005843209.tif 000007
【図７】
0005843209.tif 000008
【図８】
0005843209.tif 000009
【図８−１】
0005843209.tif 000010
【図８−２】
0005843209.tif 000011
【図８−３】
0005843209.tif 000012
【図９−１】
0005843209.tif 000013
【図９−２】
0005843209.tif 000014
【図１０−１】
0005843209.tif 000015
【図１０−２】
0005843209.tif 000016